(57)【要約】【課題】異物がベースハウジングの内部の空間に入り込むことを抑制し、かつ、メイン基板をベースハウジングに配置しやすい記録装置を提供する。【解決手段】記録装置１０は、周壁と底壁とが一体的に成形され、媒体に記録を行う記録ヘッドが内部の空間に配置されるベースハウジング３０、及び、ベースハウジング３０の上側に取り付けられ、ベースハウジング３０の内部の空間を閉じるアッパーハウジングとしての読取り装置を含む。また、記録装置１０は、ベースハウジング３０の内部の空間において、ベースハウジング３０に対して着脱可能な部品取付ユニット４０、及び、部品取付ユニット４０に取り付けられ、少なくとも記録ヘッドの動作を制御するメイン基板２１を含む。【選択図】図２
2015168097.tif 000002
【特許請求の範囲】
【請求項１】
周壁と底壁とが一体的に成形され、媒体に記録を行う記録部が内部の空間に配置されるベースハウジングと、
前記ベースハウジングの上側に取り付けられ、前記内部の空間を閉じるアッパーハウジングと、
前記ベースハウジングの内部の空間において、前記ベースハウジングに対して着脱可能な部品取付ユニットと、
前記部品取付ユニットに取り付けられ、少なくとも前記記録部の動作を制御するメイン基板と
を有する記録装置。
【請求項２】
前記アッパーハウジングは、前記ベースハウジングに対して開閉可能に取り付けられている
請求項１に記載の記録装置。
【請求項３】
周壁と底壁とが一体的に成形され、媒体に記録を行う記録部が内部の空間に配置されるベースハウジングと、
前記ベースハウジングの底面の下方に前記ベースハウジングに対してスライド可能に取り付けられ、前記記録部に搬送される前記媒体を収容するカセットと、
前記ベースハウジングの内部の空間において、前記ベースハウジングに対して着脱可能な部品取付ユニットと、
前記部品取付ユニットに取り付けられ、少なくとも前記記録部の動作を制御するメイン基板と
を有する記録装置。
【請求項４】
前記ベースハウジングには、前記記録部に搬送された前記媒体の被記録面を反転させる媒体反転ユニットが取り付けられている
請求項１〜３のいずれか一項に記載の記録装置。
【請求項５】
前記部品取付ユニット及び前記メイン基板は、前記ベースハウジングの開口面よりも下方に配置されている
請求項１〜４のいずれか一項に記載の記録装置。
【請求項６】
前記記録部を支持しているガイド軸をさらに有し、
前記ガイド軸は、前記部品取付ユニットに取り付けられている
請求項１〜５のいずれか一項に記載の記録装置。
【請求項７】
前記記録部が噴射した液体を廃液として回収するメンテナンス装置をさらに有し、
前記メンテナンス装置は、前記ベースハウジングの内部に取り付けられている
請求項１〜６のいずれか一項に記載の記録装置。
【発明の詳細な説明】
【技術分野】
【０００１】
本発明は、ベースハウジングを有する記録装置に関する。
【背景技術】
【０００２】
特許文献１は、従来の記録装置の一例を開示している。この記録装置は、複数に分割されたベースハウジング、及び、ベースハウジングの内部の空間を閉じるアッパーハウジングを有する。ベースハウジングの内部の空間には、記録装置の動作を統括的に制御するＣＰＵが搭載されたメイン基板が取り付けられている。
【先行技術文献】
【特許文献】
【０００３】
【特許文献１】特開２０１３−２０９１８９号公報
【発明の概要】
【発明が解決しようとする課題】
【０００４】
この記録装置のように、ベースハウジングが分割されていると、埃等の異物が記録装置の外部からベースハウジングの継ぎ目を介して記録装置の内部の空間に入り込むおそれがある。このため、これら異物が記録装置の内部の空間に入り込むことを抑制するために、ベースハウジングの周壁と底壁とを一体的に成形することが考えられる。しかし、ベースハウジングの周壁と底壁とを一体的に成形すると、メイン基板をベースハウジングへ組み付けるときのベースハウジングの内部の空間における作業スペースが小さくなる。このため、メイン基板をベースハウジングに配置しにくい。
【０００５】
本発明の目的は、異物がベースハウジングの内部の空間に入り込むことを抑制し、かつ、メイン基板をベースハウジングに配置しやすい記録装置を提供することである。
【課題を解決するための手段】
【０００６】
以下、上記課題を解決するための手段及びその作用効果について記載する。
上記課題を解決する記録装置は、周壁と底壁とが一体的に成形され、媒体に記録を行う記録部が内部の空間に配置されるベースハウジングと、前記ベースハウジングの上側に取り付けられ、前記内部の空間を閉じるアッパーハウジングと、前記ベースハウジングの内部の空間において、前記ベースハウジングに対して着脱可能な部品取付ユニットと、前記部品取付ユニットに取り付けられ、少なくとも前記記録部の動作を制御するメイン基板とを有する。
【０００７】
上記構成によれば、ベースハウジングの周壁と底壁とが一体的に成形されているため、ベースハウジングに継ぎ目が形成されない。このため、記録装置の外部からベースハウジングの内部の空間に異物が入り込みにくい。
【０００８】
一方、メイン基板がベースハウジングに対して着脱可能な部品取付ユニットに取り付けられているため、同取付ユニットをベースハウジングの内部に取り付けることにより、メイン基板をベースハウジングの内部の空間に配置することができる。これにより、メイン基板をベースハウジングに取り付けるときに、ベースハウジングの内部の空間で取り付け作業を行う必要がない。このため、周壁と底壁とが一体的に成形されたベースハウジングにメイン基板を取り付ける構成と比較して、メイン基板をベースハウジングの内部に配置しやすい。
【０００９】
また、上記記録装置において、前記アッパーハウジングは、前記ベースハウジングに対して開閉可能に取り付けられていることが好ましい。
上記構成によれば、アッパーハウジングがベースハウジングに対して開いている状態とすることにより、ベースハウジングの内部の空間が開放される。このため、部品取付ユニットをベースハウジングの内部の空間に配置すること、及び、ベースハウジングの内部の空間に配置されている部品取付ユニットをベースハウジングの内部の空間から取り外すことができる。
【００１０】
上記課題を解決する記録装置は、周壁と底壁とが一体的に成形され、媒体に記録を行う記録部が内部の空間に配置されるベースハウジングと、前記ベースハウジングの底面の下方に前記ベースハウジングに対してスライド可能に取り付けられ、前記記録部に搬送される前記媒体を収容するカセットと、前記ベースハウジングの内部の空間において、前記ベースハウジングに対して着脱可能な部品取付ユニットと、前記部品取付ユニットに取り付けられ、少なくとも前記記録部の動作を制御するメイン基板とを有する。
【００１１】
上記構成によれば、記録装置の外部からベースハウジングの内部の空間に異物が入り込みにくい旨の効果、及び、周壁と底壁とが一体的に成形されたベースハウジングにメイン基板を取り付ける構成と比較して、メイン基板をベースハウジングの内部の空間に配置しやすい旨の効果が得られる。また、媒体を収容するためのカセットがベースハウジングに対してスライド可能に取り付けられているため、ユーザーが媒体を記録装置に補充する頻度が少なくなり、利便性が高められる。
【００１２】
また、上記記録装置において、前記ベースハウジングには、前記記録部に搬送された前記媒体の被記録面を反転させる媒体反転ユニットが取り付けられていることが好ましい。
上記構成によれば、例えば、記録部が媒体の被記録面のうちの一方の面に記録した後、媒体反転ユニットが媒体の一方の被記録面を反転させることにより、記録部が媒体の被記録面のうちの他方の面に記録することができる。このため、媒体の複数の被記録面に記録することができるため、利便性が高められる。
【００１３】
また、上記記録装置において、前記部品取付ユニット及び前記メイン基板は、前記ベースハウジングの開口面よりも下方に配置されていることが好ましい。
上記構成によれば、アッパーハウジングをベースハウジングに組み付けるときに、アッパーハウジングが部品取付ユニット及びメイン基板と干渉しにくい。このため、アッパーハウジングをベースハウジングに組み付けやすい。
【００１４】
また、上記記録装置は、前記記録部を支持しているガイド軸をさらに有し、前記ガイド軸は、前記部品取付ユニットに取り付けられていることが好ましい。
上記構成によれば、部品取付ユニットをベースハウジングの内部に取り付けることにより、ガイド軸及び記録部をベースハウジングの内部の空間に配置することができる。これにより、ガイド軸及び記録部をベースハウジングに取り付けるときに、ベースハウジングの内部の空間で取り付け作業を行う必要がない。このため、周壁と底壁とが一体的に成形されたベースハウジングにガイド軸及び記録部を取り付ける構成と比較して、ガイド軸及び記録部をベースハウジングの内部に配置しやすい。
【００１５】
また、上記記録装置は、前記記録部が噴射した液体を廃液として回収するメンテナンス装置をさらに有し、前記メンテナンス装置は、前記ベースハウジングの内部に取り付けられていることが好ましい。
【００１６】
上記構成によれば、記録部が部品取付ユニットに取り付けられている一方、メンテナンス装置がベースハウジングに取り付けられている。このため、記録部が取り付けられた部品取付ユニットをベースハウジングから取り外すことにより、記録部及びメンテナンス装置のメンテナンスを並行して行うことができる。
【図面の簡単な説明】
【００１７】
【図１】一実施形態の複合機を模式的に示す斜視図。
【図２】同実施形態における記録装置の分解斜視図。
【図３】同実施形態の部品取付ユニット、及び、同部品取付ユニットに取り付けられている部品の斜視図。
【図４】同実施形態のベースハウジングの斜視図。
【図５】図１におけるＤ５−Ｄ５線矢視断面図。
【図６】同実施形態のベースハウジングの排紙口及びその周辺の斜視図。
【図７】図１におけるＤ７−Ｄ７線矢視断面図。
【図８】同実施形態のカセットの斜視図。
【図９】同実施形態のベースハウジング及びカセットの平面図。
【図１０】図９におけるＤ８−Ｄ８線矢視断面図。
【図１１】一実施形態のスタッカーの斜視図。
【図１２】同実施形態のベースハウジングにスタッカーが取り付けられた状態のベースハウジングの排紙口及びその周辺の斜視図。
【発明を実施するための形態】
【００１８】
以下、実施形態の記録装置１０について、図面を参照して説明する。なお、本実施形態における記録装置１０は、例えば、印刷用紙などの媒体に液体の一例であるインクを噴射することにより記録（印刷）を行うインクジェット式のプリンターである。
【００１９】
図１に示すように、複合機１は、インクを噴射することにより記録動作を行う記録装置１０、媒体の一例としての印刷用紙に記録された情報を読み取る読取り装置５０、及び、読取り装置５０の読取り面に印刷用紙を搬送する媒体搬送装置６０を有する。
【００２０】
記録装置１０は、底壁と周壁とが一体的に成形され、上側が開口したベースハウジング３０の内部の空間に記録ヘッド１７（図３参照）等の複数の部品を収容している。記録装置１０の下側には、複数の印刷用紙を積層した状態で収容することが可能なカセット７０が記録装置１０の前後方向においてスライド可能に取り付けられている。
【００２１】
また、カセット７０の上側には、ベースハウジング３０の前面に形成された排紙口３０Ａから順次排紙される印刷用紙を支持するスタッカー８０が記録装置１０の前後方向において伸縮自在に取り付けられている。
【００２２】
アッパーハウジングの一例としての読取り装置５０は、記録装置１０のベースハウジング３０に対してヒンジ（図示略）を介して開閉可能に取り付けられている。読取り装置５０は、記録装置１０のベースハウジング３０の内部の空間を閉じる役割を有する。読取り装置５０は、印刷用紙に記録された画像等の情報を読み取るコンタクトイメージセンサーモジュール（図示略）等を収容している。
【００２３】
媒体搬送装置６０は、読取り装置５０の上側に取り付けられている。媒体搬送装置６０は、読取り装置５０により画像が読み取られる前の印刷用紙が載置される給紙トレイ６１、及び、画像が読み取られた後の印刷用紙が排出される排紙トレイ６２を有する。給紙トレイ６１に載せられた印刷用紙は、媒体搬送装置６０の内部の用紙搬送路（図５参照）を通過して排紙トレイ６２に搬送される。
【００２４】
また、複合機１の前面には、ユーザーが複合機１に対して情報を入力する際に操作する部分である操作部２、及び、複合機１の各種情報が表示される表示部３が取り付けられている。なお、表示部３は、例えば、液晶ディスプレイが用いられている。
【００２５】
図２及び図３に示すように、ベースハウジング３０の内部の空間に配置される複数の部品の多くは、上側及び下側が開口している略四角箱状の部品取付ユニット４０に取り付けられている。ベースハウジング３０の内部の空間に配置される各部品は、部品取付ユニット４０がベースハウジング３０の内部に取り付けられることにより、ベースハウジング３０の内部の空間に配置される。また、部品取付ユニット４０、及び、部品取付ユニット４０に取り付けられている各部品は、ベースハウジング３０の開口面３０Ｂよりも下方に配置される。なお、図３においては、説明の便宜上、部品取付ユニット４０の前方の壁、一方の側方の壁、及び、支持台２０の図示を省略している。
【００２６】
部品取付ユニット４０には、部品取付ユニット４０の長手方向に延びるガイド軸１１が取り付けられている。ガイド軸１１には、キャリッジ１２が主走査方向Ｘ（部品取付ユニット４０の長手方向）に案内されて往復動可能な状態で取り付けられている。
【００２７】
キャリッジ１２には、無端状のタイミングベルト１３が連結されている。無端状のタイミングベルト１３は、部品取付ユニット４０の背板内面上に配置された一対のプーリー１４に巻き掛けられている。プーリー１４と駆動軸が連結されたキャリッジモーター１５が正逆転駆動することにより、キャリッジ１２が主走査方向Ｘに往復動する。
【００２８】
また、キャリッジ１２の上側には、インクカートリッジ１６がキャリッジ１２に対して着脱可能に装填されている。キャリッジ１２の底面には、記録ヘッド１７が取り付けられている。記録ヘッド１７は、インクカートリッジ１６から供給された各色のインクを、色ごとのノズル（図示略）から噴射する。
【００２９】
部品取付ユニット４０内において、記録ヘッド１７と対向する下方位置には、カセット７０（図１参照）から給紙される印刷用紙を支持する支持台２０が取り付けられている。支持台２０には、スタッカー８０（図１参照）がベースハウジング３０から外れることを規制する封止爪２０Ａが長手方向の両端部に形成されている。
【００３０】
また、部品取付ユニット４０の左側下部には、紙送りモーター（図示略）が配置されており、紙送りモーターの出力軸には、輪列１８のうちの１つの歯車が連結されている。この輪列１８の別の歯車には、印刷用紙を搬送するための搬送ローラー１９の回転軸が連結されている。紙送りモーターの出力軸の回転が輪列１８を介して搬送ローラー１９に伝達される。これにより、部品取付ユニット４０の短手方向、すなわち、主走査方向Ｘと直行する方向である副走査方向Ｙに印刷用紙が搬送される。なお、キャリッジ１２を主走査方向Ｘに往復動させながら記録ヘッド１７のノズルから印刷用紙に向けてインクを噴射する印刷動作、及び、印刷用紙を副走査方向Ｙに所定の搬送量で搬送する紙送り動作が略交互に繰り返えされる。これにより、印刷用紙に文字及び画像等が印刷される。
【００３１】
さらに、部品取付ユニット４０の左の側面には、記録装置１０、読取り装置５０、及び、媒体搬送装置６０の動作を統括的に制御するＣＰＵが搭載されたメイン基板２１が取り付けられている。メイン基板２１は、カバー（図示略）により覆われている。
【００３２】
また、部品取付ユニット４０には、リニアエンコーダー２２がガイド軸１１に沿って延びるように取り付けられている。リニアエンコーダー２２は、メイン基板２１と電気的に接続されている。リニアエンコーダー２２は、キャリッジ１２の移動位置、移動方向、及び、移動速度に応じたパルス信号をメイン基板２１のＣＰＵに出力する。メイン基板２１のＣＰＵは、入力されたパルス信号に基づいて、キャリッジ１２の速度制御、及び、キャリッジ１２の位置制御を行う。
【００３３】
図４に示すように、ベースハウジング３０の内部には、メンテナンス装置２３が取り付けられている。メンテナンス装置２３は、記録ヘッド１７からのインクの噴射が良好に維持されるように、記録ヘッド１７からインクを吸引して気泡などを排出させる吸引クリーニングなどのメンテナンス動作を行うクリーニング装置２３Ａを有する。クリーニング装置２３Ａは、ベースハウジング３０の内部において、キャリッジ１２がホームポジションに位置したときのキャリッジ１２の直下に対応する位置に配置されている。なお、ホームポジションは、キャリッジ１２の移動経路上の移動領域外の一端部（図２の位置）に対応する位置である。また、メンテナンス装置２３は、クリーニング装置２３Ａが吸引したインクを廃液として回収する廃液回収ボックス２３Ｂを有する。
【００３４】
図５に示すように、記録装置１０には、操作部２側とは反対の後側において、ベースハウジング３０に対して後方に引き抜くことでベースハウジング３０から切り離されて取り外される着脱部材としての反転ユニット１５０が備えられている。反転ユニット１５０は、記録ヘッド１７へ供給される印刷用紙Ｐの２つの被記録面に記録を行うために、印刷用紙Ｐの表裏を反転、すなわち、被記録面を反転させるユニットである。なお、反転ユニット１５０は、ベースハウジング３０に対して開閉可能に取り付けることもできる。
【００３５】
反転ユニット１５０は、ベースハウジング３０においてカセット７０の挿入方向奥側であってカセット７０の上方に配置されている。
反転ユニット１５０の内部には、カセット７０から供給される印刷用紙Ｐを記録ヘッド１７へ搬送する用紙搬送路が形成されている。
【００３６】
反転ユニット１５０は、ユニットフレームを構成する複数のフレーム部材１５１，１５２，１５５，１５６，１５７，１５８、フラップ部材１５３，１５４、このユニットフレームに回転自在に取り付けられた駆動ローラー１６１、及び、従動ローラー１６２，１６３，１６４を有している。
【００３７】
駆動ローラー１６１は、不図示の駆動源からの駆動力に基づき主走査方向Ｘに沿う軸線を中心として、フレーム部材１５１の側壁に回転可能に軸支されている。そして、駆動ローラー１６１は、主走査方向Ｘに沿う軸線を中心としてフレーム部材１５１に回転自在に軸支された従動ローラー１６２との間、及び、主走査方向Ｘに沿う軸線を中心としてフラップ部材１５４に回転自在に軸支された従動ローラー１６３との間で、それぞれ印刷用紙Ｐを挟持して搬送する。なお、従動ローラー１６２はリタードローラーとして機能し、駆動ローラー１６１によって印刷用紙Ｐを一枚ずつ搬送する。
【００３８】
用紙搬送路は、これらの各部材及び各ローラーによって反転ユニット１５０に形成され、ベースハウジング３０に装着された状態で、搬送方向上流側であるカセット７０側から搬送方向下流側である記録ヘッド１７に向かって、印刷用紙Ｐを搬送する。反転ユニット１５０には、印刷用紙Ｐが搬送される搬送方向順に、搬送路１３５，１３６，１３７がそれぞれ用紙搬送路として形成されている。
【００３９】
搬送路１３５は、フレーム部材１５１の前側壁面とフレーム部材１５８の後側壁面との間に形成され、反転ユニット１５０においてカセット７０側となる重力方向側に開口を有する空間領域として形成されている。搬送路１３５は、ベースハウジング３０を構成する構成部材１２０Ａに取り付けられた回動中心１３３Ａを中心として揺動する給紙部１３３に取り付けられた給紙ローラー１３４により、カセット７０から分離斜面１３２に沿って上方へ移動する印刷用紙Ｐが最初に搬送される用紙搬送路である。
【００４０】
搬送路１３５の搬送方向下流側には、駆動ローラー１６１と従動ローラー１６２とのローラー対を挟んで、搬送路１３６が形成されている。搬送路１３６は搬送路１３５の上方に形成され、駆動ローラー１６１の外周面形状に対応した湾曲形状の空間領域を有する湾曲経路となっている。搬送路１３６におけるこの湾曲形状（湾曲経路）内側の搬送路壁面は、駆動ローラー１６１とその印刷用紙Ｐの幅方向両側に形成された不図示のフレーム部材とによって構成されている。また搬送路１３６における湾曲形状（湾曲経路）の外側の側面となる搬送路壁面は、駆動ローラー１６１の外周面と対向するように配置されたフラップ部材１５３の壁面（下面）及びフラップ部材１５４の一部の壁面（下面）によって構成されている。なお、フラップ部材１５３は、その回転軸１５３Ａがフレーム部材１５２に回転自在に軸支され、搬送方向下流側の端部１５３Ｂが回転軸１５３Ａを中心に揺動することによって変位可能な構成とされ、フラップ部材１５３とフラップ部材１５４との間が開閉可能に構成されている。なお、フラップ部材１５３は、フラップ部材１５４が揺動することによって変位可能な構成であってもよい。
【００４１】
搬送路１３６の搬送方向下流側には、駆動ローラー１６１と従動ローラー１６３とのローラー対を挟んで、搬送路１３７が形成されている。搬送路１３７は、湾曲経路である搬送路１３６に続いて前方向先下がりの状態で形成され、フラップ部材１５４の前方側の一部壁面（下面）及びフレーム部材１５６の下面と、フレーム部材１５５の前側壁面との間に形成される空間領域となっている。
【００４２】
搬送路１３７は、その前方に形成される搬送路１３９に連通している。搬送路１３９は、一方（上方）の搬送路壁面が、ベースハウジング３０の構成部材１２０Ｂにおける下面によって構成され、他方（下方）の搬送路壁面が構成部材１２０Ａの上面によって構成されている。このため、搬送路１３７へ送り出された印刷用紙Ｐは、搬送路１３７と連通する搬送路１３９に搬送されることによってベースハウジング３０に回転可能に軸支された一対の搬送ローラーとしての紙送りローラー１６５，１６６によって挟持され、記録ヘッド１７へ搬送される。その後、記録ヘッド１７において被記録面への記録が完了した印刷用紙Ｐは、ベースハウジング３０に回転可能に軸支された一対の排紙ローラー（図示略）によって副走査方向Ｙへ搬送され、排紙口３０Ａ（図１参照）から排出される。
【００４３】
さらに、反転ユニット１５０には、搬送路１３５，１３６，１３７に加えて用紙搬送路として搬送路１３８が、搬送路１３７から駆動ローラー１６１の下側後方に連続して形成されている。この搬送路１３８は、記録装置１０において印刷用紙Ｐの２つの被記録面に記録を行う場合、印刷用紙Ｐの被記録面を反転して搬送するために使用される。すなわち、紙送りローラー１６５，１６６は、不図示の駆動源によって逆方向に回転される。この逆回転によって、印刷用紙Ｐは、記録ヘッド１７において一方の被記録面に記録が施された後、副走査方向Ｙと逆方向である後方に戻され、駆動ローラー１６１と従動ローラー１６４とのローラー対によって挟持されることによって搬送路１３８に搬送される。
【００４４】
搬送路１３８は、一方（下方）の搬送路壁面がフレーム部材１５７の上面及びフレーム部材１５８の前面によって構成され、他方（上方）の搬送路壁面が駆動ローラー１６１の外周壁面とその印刷用紙Ｐの幅方向両側に形成された不図示のフレーム部材とによって構成されている。
【００４５】
図６に示すように、ベースハウジング３０の排紙口３０Ａが形成されている部分の一方の内壁には、カセット７０及びスタッカー８０（図１参照）をベースハウジング３０の内部の空間に案内するための案内部材３１が取り付けられている。なお、案内部材３１は、ベースハウジング３０の排紙口３０Ａが形成されている部分の他方の内壁にも取り付けられている。
【００４６】
案内部材３１は、カセット７０を案内するためのカセット用レール３２、及び、スタッカー８０を案内するためのスタッカー用レール３３を有する。
カセット用レール３２は、スタッカー用レール３３よりも下方に形成されている。カセット用レール３２は、ベースハウジング３０の内部の空間から外に向かうに連れて上側に湾曲している。また、カセット用レール３２の下側には、カセット７０がベースハウジング３０の内部の空間から外に引き出されることを一時的に規制するレール側爪３４が形成されている（図７参照）。
【００４７】
一方、スタッカー用レール３３は、ベースハウジング３０の内部の空間から外に延伸する形状を有し、外側の先端が下側に湾曲している。また、スタッカー用レール３３には、スタッカー用レール３３とベースハウジング３０の内部の空間とを連通する開口３３Ａが形成されている。
【００４８】
図７に示すように、ベースハウジング３０の一方の内壁の下部には、カセット用レール３２を介して案内されたカセット７０を支持する支持壁３５が形成されている。支持壁３５は、一例として、ベースハウジング３０の奥行方向に３つ形成されている。カセット７０は、これら３つの支持壁３５、及び、カセット用レール３２により支持されているため、ユーザーは、カセット７０を安定した状態でベースハウジング３０から引き抜くことができる。なお、支持壁３５は、ベースハウジング３０の他方の内壁にも形成されている（図示略）。
【００４９】
図８に示すように、カセット７０は、印刷用紙が載置される底壁７１、及び、底壁７１から上側に延びる周壁７２を有する。なお、底壁７１のうち、カセット７０の前方には周壁７２が形成されていない。このため、カセット７０の前方は開口している。カセット７０は、前方の開口している部分から、カセット用レール３２（図５参照）を介してベースハウジング３０の内部の空間に案内される。
【００５０】
また、底壁７１のうち、カセット７０の前方の背面には、カセット用レール３２のレール側爪３４（図５参照）と噛み合うカセット側爪７３が形成されている。
図９に示すように、カセット７０は、ベースハウジング３０に収容された状態から、ユーザーにより図の矢印で示す方向に引き抜かれる。
【００５１】
図１０に示すように、カセット７０がベースハウジング３０から引き抜かれる過程において、カセット側爪７３とレール側爪３４とが噛み合う。これにより、カセット７０がベースハウジング３０から引き抜かれることが一時的に規制される。このため、カセット７０がベースハウジング３０から勢いよく一度に引き抜かれることにより、カセット７０が落下することが抑制される。カセット側爪７３とレール側爪３４とが噛み合っている状態において、カセット７０を図の矢印で示すカセット用レール３２が湾曲している方向に回転させることにより、カセット側爪７３とレール側爪３４とが噛み合わなくなる。このため、カセット７０をベースハウジング３０から引き抜くことができる。
【００５２】
図１１に示すように、スタッカー８０の両方の側方には、スタッカー用レール３３（図５参照）に挿入される２つの第１突起部８１、及び、２つの第２突起部８２が形成されている。
【００５３】
第１突起部８１は、スタッカー８０の奥行方向の略中央に形成されている。第２突起部８２は、スタッカー８０の奥行方向の一方の端部に形成されている。
図１２に示すように、スタッカー８０は、ベースハウジング３０の内部の空間から開口３３Ａを介して、第１突起部８１、及び、第２突起部８２の順でスタッカー用レール３３に挿入されることにより、ベースハウジング３０に固定される。なお、部品取付ユニット４０（図２参照）がベースハウジング３０の内部に配置されているとき、図の二点鎖線で示すように、封止爪２０Ａが、開口３３Ａに蓋をする。このため、第２突起部８２が開口３３Ａから抜けることが抑制される。
【００５４】
記録装置１０の作用について説明する。
図２及び図３に示すように、記録装置１０の内部に配置される部品の一例である、ガイド軸１１、キャリッジ１２、タイミングベルト１３、一対のプーリー１４、キャリッジモーター１５、及び、インクカートリッジ１６が部品取付ユニット４０に取り付けられる。さらに、記録ヘッド１７、輪列１８、支持台２０、搬送ローラー１９、メイン基板２１、及び、リニアエンコーダー２２が部品取付ユニット４０に取り付けられる。
【００５５】
これら部品が取り付けられた部品取付ユニット４０が、ベースハウジング３０の内部に取り付けられる。これにより、記録装置１０を構成する各部品が、ベースハウジング３０の内部の空間に配置される。
【００５６】
一方、記録装置１０を構成する各部品のメンテナンスを行うとき、各部品が取り付けられた部品取付ユニット４０がベースハウジング３０から取り外される。このため、ベースハウジング３０の内部の空間に配置されていた各部品のメンテナンスが、ベースハウジング３０の外部で行われる。
【００５７】
次に、カセット７０からの印刷用紙Ｐの供給動作について説明する。
図５に示すように、カセット７０から印刷用紙Ｐが供給される場合、印刷用紙Ｐは、給紙ローラー１３４によってカセット７０から搬送路１３５へ送られ、図中矢印方向に回転する駆動ローラー１６１と従動ローラー１６２との間に挟持されて、搬送路１３５から搬送路１３６へ搬送される。搬送路１３６では、フラップ部材１５３の壁面（下面）及びフラップ部材１５４の一部の壁面（下面）に沿って移動し、送出部として機能する駆動ローラー１６１と従動ローラー１６３とによって挟持され、図中矢印で示すように搬送路１３６から搬送路１３７へ送り出される。
【００５８】
その後、印刷用紙Ｐは搬送路１３７から搬送路１３９へ移動し、駆動ローラー１６１と従動ローラー１６３とのローラー対による挟持状態が維持された状態で、搬送方向の先端が紙送りローラー１６５，１６６のローラー対に挟持されることにより記録ヘッド１７へ送り出される。そして、送り出された印刷用紙Ｐは、副走査方向Ｙへ搬送される。従って、反転ユニット１５０において、印刷用紙Ｐは、紙送りローラー１６５，１６６によって挟持されて搬送される状態になるまで、駆動ローラー１６１と従動ローラー１６２，１６３とによって搬送路１３６，１３７から搬送路１３９へ連続して搬送される。
【００５９】
ところで、印刷用紙Ｐに対して２つの被記録面に記録が行われる場合は、図中二点鎖線で示すように、一方の被記録面への記録が完了した印刷用紙Ｐが記録ヘッド１７から逆方向（図中破線矢印）に搬送され、搬送路１３８へ送り出される。そして搬送路１３８に搬送された印刷用紙Ｐは、フレーム部材１５８をフレーム部材１５７に取り付けられた回転軸１５８Ａを中心に揺動させ、搬送路１３５に再び送り出され、湾曲形状となっている搬送路１３６を駆動ローラー１６１の回転によって再び移動する。この搬送路１３６における移動において印刷用紙Ｐは移動方向が後方から前方へ反転し、再び搬送路１３７へ送り出されるときには、被記録面が反転した状態となる。このため、記録ヘッド１７により他方の被記録面に記録が行われる。
【００６０】
上記実施形態によれば、以下に示す効果を得ることができる。
（１）ベースハウジング３０の周壁と底壁とが一体的に成形されているため、ベースハウジング３０に継ぎ目が形成されない。このため、記録装置１０の外部からベースハウジング３０の内部の空間に異物が入りにくい。
【００６１】
（２）メイン基板２１がベースハウジング３０から着脱可能な部品取付ユニット４０に取り付けられているため、部品取付ユニット４０をベースハウジング３０の内部に取り付けることにより、メイン基板２１をベースハウジング３０の内部の空間に配置することができる。これにより、メイン基板２１をベースハウジング３０に取り付けるときに、ベースハウジング３０の内部の空間で取り付け作業を行う必要がない。このため、周壁と底壁とが一体的に成形されたベースハウジングにメイン基板２１を取り付ける構成と比較して、メイン基板２１をベースハウジング３０の内部に配置しやすい。
【００６２】
（３）読取り装置５０をベースハウジング３０に対して開いている状態とすることにより、ベースハウジング３０の内部の空間が開放される。このため、部品取付ユニット４０をベースハウジング３０の内部の空間に配置すること、及び、ベースハウジング３０の内部の空間に配置されている部品取付ユニット４０をベースハウジング３０の内部の空間から取り外すことができる。
【００６３】
（４）印刷用紙Ｐを収容するためのカセット７０がベースハウジング３０に対してスライド可能に取り付けられているため、ユーザーが印刷用紙Ｐを記録装置１０に補充する頻度が少なくなり、利便性が高められる。
【００６４】
（５）記録ヘッド１７により印刷用紙Ｐの一方の被記録面に記録が完了した後、媒体反転ユニット１５０が印刷用紙Ｐの一方の被記録面を反転させる。このため、記録ヘッド１７が印刷用紙Ｐの他方の被記録面に記録することができる。これにより、印刷用紙Ｐの２つの被記録面に記録することができるため、利便性が高められる。
【００６５】
（６）部品取付ユニット４０及びメイン基板２１は、ベースハウジング３０の開口面３０Ｂよりも下方に配置されている。このため、読取り装置５０をベースハウジング３０に組み付けるときに、読取り装置５０が部品取付ユニット４０及びメイン基板２１と干渉しにくい。このため、読取り装置５０をベースハウジング３０に組み付けやすい。
【００６６】
（７）部品取付ユニット４０をベースハウジング３０の内部に取り付けることにより、ガイド軸１１及び記録ヘッド１７をベースハウジング３０の内部の空間に配置することができる。これにより、ガイド軸１１及び記録ヘッド１７をベースハウジング３０に取り付けるときに、ベースハウジング３０の内部の空間で取り付け作業を行う必要がない。このため、周壁と底壁とが一体的に成形されたベースハウジングにガイド軸１１及び記録ヘッド１７を取り付ける構成と比較して、ガイド軸１１及び記録ヘッド１７をベースハウジング３０の内部に配置しやすい。
【００６７】
（８）部品取付ユニット４０をベースハウジング３０の内部に取り付けることにより、リニアエンコーダー２２をベースハウジング３０の内部の空間に配置することができる。これにより、リニアエンコーダー２２をベースハウジング３０に取り付けるときに、ベースハウジング３０の内部の空間で取り付け作業を行う必要がない。このため、周壁と底壁とが一体的に成形されたベースハウジングにリニアエンコーダー２２を取り付ける構成と比較して、リニアエンコーダー２２をベースハウジング３０の内部に配置しやすい。
【００６８】
（９）記録ヘッド１７が部品取付ユニット４０に取り付けられている一方、メンテナンス装置２３がベースハウジング３０に取り付けられている。このため、記録ヘッド１７が取り付けられた部品取付ユニット４０をベースハウジング３０から取り外すことにより、記録ヘッド１７及びメンテナンス装置２３のメンテナンスを並行して行うことができる。
【００６９】
（１０）部品取付ユニット４０をベースハウジング３０から取り外すことにより、部品取付ユニット４０に取り付けられている各部品のメンテナンスをベースハウジング３０の外部で行うことができる。このため、ベースハウジング３０に配置される各部品のメンテナンスを行うための作業スペースを広くすることができる。これにより、ベースハウジング３０に配置される各部品のメンテナンスを行いやすい。
【００７０】
（１１）ベースハウジング３０の周壁と底壁とが一体的に成形されているため、ベースハウジングが分割されている構成と比較してベースハウジング３０の剛性が高められる。
（１２）ベースハウジング３０の底壁と周壁とが一体的に成形されているため、ベースハウジング３０に継ぎ目が形成されない。このため、記録装置１０の美観を高めることができる。
【００７１】
なお、上記実施形態は、以下のような別の実施形態に変更してもよい。また、以下の別の各実施形態は、技術的に矛盾しない範囲において、互いに組み合すことができる。
・部品取付ユニット４０に取り付けられている各部品のうち、メイン基板２１以外の部品の少なくとも一つは、ベースハウジング３０に取り付けることもできる。
【００７２】
・読取り装置５０及び媒体搬送装置６０を省略することができる。この別の実施形態において、ベースハウジング３０の内部の空間は、アッパーハウジングとしての蓋により閉じられる。
【００７３】
・上記実施形態において、記録装置１０は、インク以外の他の液体を噴射したり吐出したりするプリンターであってもよい。なお、プリンターから微小量の液滴となって吐出される液体の状態としては、粒状、涙状、糸状に尾を引くものも含むものとする。また、ここでいう液体は、記録装置１０から噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体を含むものとする。また、物質の一状態としての液体のみならず、顔料や金属粒子などの固形物からなる機能材料の粒子が溶媒に溶解、分散又は混合されたものなども含むものとする。
【符号の説明】
【００７４】
１０…記録装置、１１…ガイド軸、１７…記録部の一例としての記録ヘッド、２１…メイン基板、２３…メンテナンス装置、３０…ベースハウジング、３０Ｂ…開口面、４０…部品取付ユニット、５０…アッパーハウジングの一例としての読取り装置、６０…媒体搬送装置、７０…カセット、１５０…媒体反転ユニット、Ｐ…媒体の一例としての印刷用紙。
【図１】
2015168097.tif 000003
【図２】
2015168097.tif 000004
【図３】
2015168097.tif 000005
【図４】
2015168097.tif 000006
【図５】
2015168097.tif 000007
【図６】
2015168097.tif 000008
【図７】
2015168097.tif 000009
【図８】
2015168097.tif 000010
【図９】
2015168097.tif 000011
【図１０】
2015168097.tif 000012
【図１１】
2015168097.tif 000013
【図１２】
2015168097.tif 000014